(57)【要約】【課題】装置の小型化を図ることができる振動付与装置を提供する。【解決手段】容器（４０）から注ぎ出た液体に振動を付与する振動付与装置（１）であって、容器（４０）の注出口（４１）に連通する液体の流路（１１ａ）と、流路（１１ａ）を流れる液体に付与される振動を発生する振動発生部（２６）と、を有してなり、振動発生部（２６）は、液体が流路（１１ａ）を流れる時において、流路（１１ａ）の上方に位置することを特徴とする。【選択図】図６
2018122892.tif 000002
【特許請求の範囲】
【請求項１】
容器から注ぎ出た液体に振動を付与する振動付与装置であって、
前記容器の内部空間に連通する前記液体の流路と、
前記流路を流れる前記液体に付与される振動を発生する振動発生部と、
を有してなり、
前記振動発生部は、前記液体が前記流路を流れる時において、前記流路の上方に位置する、
ことを特徴とする振動付与装置。
【請求項２】
前記液体が前記流路を流れる方向に直交する方向における前記流路の断面の幅方向の長さは、前記液体が前記流路を流れる時において、前記流路の下方側の長さが前記流路の上方側の長さよりも短い、
請求項１記載の振動付与装置。
【請求項３】
前記断面の幅方向の長さは、前記液体が前記流路を流れる時において、前記流路の上方側から前記流路の下方側に向けて漸次短くなる、
請求項２記載の振動付与装置。
【請求項４】
前記流路を備える第１組立体と、
前記振動発生部を備える第２組立体と、
を備え、
前記第１組立体は、
前記流路を備える連絡通路形成体、
を備え、
前記第２組立体は、
前記振動発生部を収納する筐体、
を備え、
前記第１組立体は、前記連絡通路形成体の外周面と前記振動発生部の振動発生面とが対向するように、前記第２組立体と結合され、
前記筐体は、
前記連絡通路形成体の外周面との対向面に、前記振動発生部の振動発生面を露出させる露出孔、
を備える、
請求項１記載の振動付与装置。
【請求項５】
前記筐体は、前記振動発生部を前記連絡通路形成体の外周面側に付勢する付勢部材を収納し、
前記連絡通路形成体は、
前記振動発生面に当接するリブ、
を備え、
前記リブは、前記連絡通路形成体の外周面に配置される、
請求項４記載の振動付与装置。
【請求項６】
前記リブは、前記液体が前記流路を流れる方向に延びて配置される、
請求項５記載の振動付与装置。
【請求項７】
前記第１組立体は、前記液体が前記流路を流れる方向にスライドして、前記第２組立体に結合され、
前記リブは、前記液体が前記流路を流れる方向の先端がテーパ状である、
請求項６記載の振動付与装置。
【請求項８】
前記第１組立体は、
前記容器の注出口が挿入される挿入穴と、
前記流路と連通する内部空間を具備する注入管と、
を備え、
前記注入管は、前記挿入穴の内部に配置され、前記挿入穴に挿入された前記注出口に連結される、
請求項４記載の振動付与装置。
【請求項９】
前記第１組立体は、
弾性を有する外周リブ、
を備え、
前記外周リブは、前記注入管の外周面の周方向に配置され、前記挿入穴に挿入された前記注出口の内周面に当接する、
請求項８記載の振動付与装置。
【請求項１０】
前記容器の外部空間と、前記容器の内部空間と、を連通させる空気路、
を備え、
前記空気路は、前記注入管の内部空間と連通する、
請求項８記載の振動付与装置。
【請求項１１】
前記振動発生部は、超音波を発生する、
請求項１記載の振動付与装置。
【請求項１２】
前記液体は、発泡性飲料であり、
前記容器は、前記発泡性飲料を収容する瓶である、
請求項１記載の振動付与装置。
【発明の詳細な説明】
【技術分野】
【０００１】
本発明は、容器の注出口から注ぎ出た液体に振動を付与する振動付与装置に関する。
【背景技術】
【０００２】
ビールなどの発泡性飲料（以下「ビール」という。）がジョッキやグラス（以下「ジョッキ」という。）に注がれる場合、ジョッキに注がれたビールの上部に泡が載ることで、ビール中の炭酸ガスとビールの香りとが長時間持続する。すなわち、ビールの旨さは、長持ちする。特に、泡がきめ細かいほど、ビールの旨さは、長持ちする。
【０００３】
飲食店などでは、ビールの上部にきめ細かい泡を載せるビールサーバーが利用される。
【０００４】
一方、ビールサーバーが設置されていない一般の家庭では、ビールは、ビール瓶からジョッキに直接注がれる。このとき、ビール瓶からジョッキに注がれたビールの上部には、大小様々な大きさの泡が発生される。この泡は、ビール瓶から注ぎ出たビールがジョッキに落下したときの衝撃で発生される。この泡は、ジョッキの下層から空気を巻き込みながらジョッキの上層に溜まっていく。この場合、大きい泡ほどすぐに消えてしまうため、ジョッキに注がれたビール中の炭酸ガスとビールの香りとは、長時間持続しない。
【０００５】
これまでにも、ビール瓶からジョッキに注がれたビールの上部にきめ細かい泡を載せる装置が提案されている（例えば、特許文献１参照）。
【０００６】
特許文献１に開示された装置は、ビール瓶の上端部の注出口に取り付けられて使用される。この装置は、ビール瓶からのビールが流れる流路と、流路内のビールに超音波を伝播させる超音波発生装置と、を有してなる。超音波発生装置は、ビールが流路を流れる時において、流路の下方に配置されて、流路の下部（底部）に超音波を伝播させる。そのため、超音波発生装置からの超音波は、流路を流れるビールに対して効率よく伝播される。超音波が伝播されたビールに溶解している炭酸ガスは、気化して泡になる。この泡は、先にジョッキに注がれたビールの上部に載せられて、ジョッキ内のビールの上部を覆う。
【先行技術文献】
【特許文献】
【０００７】
【特許文献１】特開２０１４−１５０７２７号公報
【発明の概要】
【発明が解決しようとする課題】
【０００８】
しかし、特許文献１に開示された装置における超音波発生装置の配置は、ビールが流路を流れる時において、流路の下方である。一方、超音波発生装置をオン・オフさせるスイッチは、操作性の観点から、ビールが流路を流れる時において、流路の上方に配置される。また、電池や基板などの超音波発生装置の動作に必要な部材は、スイッチの近く、つまり、ビールが流路を流れる時において、流路の上方に配置される。そのため、特許文献１に開示された装置は、電池や基板が配置される流路の上方部分のスペースとは別に、流路の下方部分に超音波発生装置を配置するスペースを必要とする。その結果、特許文献１に開示された装置は、大型化する。
【０００９】
本発明は、以上のような従来技術の問題点を解消するためになされたもので、装置の小型化を図ることができる振動付与装置を提供することを目的とする。
【課題を解決するための手段】
【００１０】
本発明は、容器から注ぎ出た液体に振動を付与する振動付与装置であって、容器の内部空間に連通する液体の流路と、流路を流れる液体に付与される振動を発生する振動発生部と、を有してなり、振動発生部は、液体が流路を流れる時において、流路の上方に位置することを特徴とする。
【発明の効果】
【００１１】
本発明によれば、装置の小型化を図ることができる。
【図面の簡単な説明】
【００１２】
【図１】本発明にかかる振動付与装置の実施の形態を示す斜視図である。
【図２】図１の振動付与装置を図１とは別の方向から見た斜視図である。
【図３】図１の振動付与装置の平面図である。
【図４】図１の振動付与装置を構成する第１組立体と第２組立体とを分離した分解斜視図である。
【図５】図３の振動付与装置のＡＡ線断面図である。
【図６】図３の振動付与装置のＢＢ線断面図である。
【図７】図１の振動付与装置の第２組立体が備える筐体の斜視図である。
【図８】図７の筐体から超音波発生装置が取り外された状態の斜視図である。
【図９】図１の振動付与装置が容器に取り付けられた状態の使用例を示す断面図である。
【図１０】図９の振動付与装置内の空気の流れと液体の流れとを示す模式図である。
【発明を実施するための形態】
【００１３】
以下、図面を参照しながら、本発明にかかる振動付与装置の実施の形態について説明する。
【００１４】
●振動付与装置●
以下に説明する実施の形態は、本発明にかかる振動付与装置（以下「本装置」という。）がビール瓶の注出口に取り付けられて、ビール瓶の注出口から注ぎ出たビールに本装置が振動を付与する場合の例である。すなわち、ビール瓶は本発明における容器の例であり、ビールは本発明における容器に収容された液体の例である。
【００１５】
本装置は、ビール瓶の注出口に取り付けられて使用される。本装置は、ビール瓶の注出口から注ぎ出たビールが本装置内を流れる時、本装置内を流れるビールに振動を付与する。この振動は、ビールに溶解している炭酸ガスの気化を促進する。気化された炭酸ガスは、ビールに包まれてきめ細かな泡となり、本装置から注ぎ出される。
【００１６】
●本装置の構成
先ず、本装置１の構成について、説明する。
【００１７】
図１は、本装置の実施の形態を示す斜視図である。
図２は、本装置を図１とは別の方向から見た斜視図である。
図３は、本装置の平面図である。
【００１８】
本装置１は、第１組立体１０と、第２組立体２０と、を有してなる。本装置１は、略円柱状である。第２組立体２０は、第１組立体１０から分離可能である。
【００１９】
●第１組立体の構成
次に、第１組立体１０の構成について、説明する。
【００２０】
図４は、第１組立体１０と第２組立体２０とを分離した分解斜視図である。
図５は、図３の本装置１のＡＡ線断面図である。
図６は、図３の本装置１のＢＢ線断面図である。
【００２１】
第１組立体１０は、後述するビール瓶４０の注出口４１（図９参照。以下同じ。）と結合する。第１組立体１０は、連絡通路形成体１１と、リブ１２と、液体出口１３と、連結部１４と、外周リブ１５と、を備える。
【００２２】
連絡通路形成体１１は、ビール瓶４０の注出口４１から注ぎ出たビールや、本装置１の外部空間からの空気などが流れる空間を区画する。連絡通路形成体１１は、例えば、ポリエチレンなどの合成樹脂製である。連絡通路形成体１１は、中空で、内部空間を備える。連絡通路形成体１１は、流路１１ａと、空気路１１ｂと、共用路１１ｃと、空気孔１１ｈと、嵌合ピン１１ｐ１と、嵌合ピン１１ｐ２と、嵌合ピン１１ｐ３と、嵌合ピン１１ｐ４と、結合突起１１ｐ５と、結合突起１１ｐ６と、を備える。
【００２３】
流路１１ａは、ビール瓶４０の注出口４１から注ぎ出たビールが流れる通路（空間）である。流路１１ａは、連絡通路形成体１１の内部空間の一部で構成される。すなわち、流路１１ａは、連絡通路形成体１１のうち、中空の筒状部分の内周面に囲まれた空間である。ビールが流路１１ａを流れる方向に直交する方向における流路１１ａの断面の幅方向（図６の紙面左右方向）の長さは、ビールが流路１１ａを流れる時において、流路１１ａの下方側（図６の紙面下側）の長さが流路１１ａの上方側（図６の紙面上側）の長さよりも短い。流路１１ａの断面の幅方向の長さは、ビールが流路１１ａを流れる時において、流路１１ａの上方側から流路１１ａの下方側に向けて漸次短くなる。すなわち、流路１１ａの断面の形状は、台形である。ここで、流路１１ａの断面は、流路１１ａを構成する連絡通路形成体１１の筒状部分の内周面の断面である。ビールが流路１１ａを流れる時における、流路１１ａを構成する連絡通路形成体１１の筒状部分の内周面のうち下方側の面（図６の紙面下側の面）は、流路１１ａの底面である。
【００２４】
ビールが流路１１ａを流れる方向に直交する方向における流路１１ａの断面の面積は、ビール瓶４０の注出口４１の内部空間の断面の面積や、後述する連結部１４の注入管１４ａの内部空間１４ｂの断面の面積などに基づいて設定される。すなわち、例えば、流路１１ａの断面の面積は、注出口４１から注ぎ出て、注入管１４ａを介して流路１１ａに進入するビールが、流路１１ａ内を隙間なく流れる大きさに設定される。
【００２５】
空気路１１ｂは、本装置１の外部空間からの空気が流れる通路（空間）である。空気路１１ｂは、連絡通路形成体１１の内部空間の一部で構成される。
【００２６】
共用路１１ｃは、ビール瓶４０の注出口４１から注ぎ出たビールと、本装置１の外部空間からの空気と、が流れる通路（空間）である。共用路１１ｃは、連絡通路形成体１１の内部空間の一部で構成される。共用路１１ｃは、流路１１ａと空気路１１ｂのそれぞれと連通する。
【００２７】
空気孔１１ｈは、本装置１の外部空間と、注入管１４ａの内部空間１４ｂと、を連通させる。本装置１の外部空間は、空気孔１１ｈと空気路１１ｂとを介して、注入管１４ａの内部空間１４ｂと連通する。
【００２８】
嵌合ピン１１ｐ１と、嵌合ピン１１ｐ２と、嵌合ピン１１ｐ３と、嵌合ピン１１ｐ１１１ｐ４のそれぞれは、第２組立体２０が第１組立体１０に結合されるとき、後述する第２組立体２０の対応するガイド穴２２ｈ１と、ガイド穴２２ｈ２と、ガイド穴２２ｈ３と、ガイド穴２２ｈ４（図７参照）と、嵌合するピンである。
【００２９】
結合突起１１ｐ５と結合突起１１ｐ６とは、第２組立体２０が第１組立体１０に結合されるとき、後述する第２組立体２０の対応する結合穴２２ｈ５と結合穴２２ｈ６（図７参照）と結合する突起である。
【００３０】
リブ１２は、後述する第２組立体２０の超音波発生装置２６が発生した超音波を、流路１１ａを流れるビールに伝播する。リブ１２は、連絡通路形成体１１の外周面に突出して配置される。リブ１２は、連絡通路形成体１１と一体に成形される。
【００３１】
リブ１２は、ビールが流路１１ａを流れる方向に延びて配置される。リブ１２は、ビールが流路１１ａを流れる方向の先端（リブ１２における図４の紙面上側の端部）がテーパ状である。
【００３２】
なお、リブは、連絡通路形成体と別体でもよい。すなわち、例えば、リブは、連絡通路形成体の外周面に接合されてもよい。
【００３３】
液体出口１３は、流路１１ａを流れるビールが流路１１ａから注ぎ出る出口である。液体出口１３は、連絡通路形成体１１の先端、つまり、ビールが流路１１ａを流れる方向の流路１１ａの下流端に取り付けられる。ビールが液体出口１３を流れる方向に直交する方向の液体出口１３の内部空間の断面の面積は、同方向の流路１１ａの断面の面積よりも大きい。液体出口１３は、ガイド部１３ａを備える。
【００３４】
ガイド部１３ａは、液体出口１３から注ぎ出るビールが本装置１の表面を伝って液だれすることを防ぐ。
【００３５】
連結部１４は、ビール瓶４０の注出口４１（図９参照）と、連絡通路形成体１１と、を連結する。連結部１４は、ビール瓶４０の注出口４１が挿入される側（図５の紙面下側）が開口した有蓋円筒状である。連結部１４は、挿入穴１４ｈ１と、注出孔１４ｈ２と、注入孔１４ｈ３と、注入管１４ａと、を備える。注入管１４ａは、その内部に内部空間１４ｂを備える。
【００３６】
挿入穴１４ｈ１は、ビール瓶４０の注出口４１が挿入される穴である。挿入穴１４ｈ１は、連結部１４の内周面と、連結部１４の蓋部の内面と、により構成される。すなわち、挿入穴１４ｈ１は、連結部１４の内側で構成される。
【００３７】
注出孔１４ｈ２は、ビール瓶４０の注出口４１から注ぎ出たビールを連絡通路形成体１１に注ぎ出す。注出孔１４ｈ２は、連結部１４の蓋部に配置される。
【００３８】
注入孔１４ｈ３は、ビール瓶４０の注出口４１から注ぎ出たビールを、注入管１４ａの内部空間１４ｂに注ぎ入れる。
【００３９】
注入管１４ａは、ビール瓶４０の注出口４１から注ぎ出たビールを、連絡通路形成体１１に供給する。また、注入管１４ａは、本装置１の外部空間の空気を、ビール瓶４０の内部空間４０ｃに供給する。注入管１４ａは、連結部１４の蓋部における注出孔１４ｈ２の周縁部を、連結部１４の開口端側に起立させた略円筒状の管である。すなわち、注入管１４ａは、挿入穴１４ｈ１の内部に配置される。注入管１４ａにおける、連結部１４の蓋部側の端部は注出孔１４ｈ２であり、連結部１４の開口端側の端部は注入孔１４ｈ３である。
【００４０】
内部空間１４ｂは、ビール瓶４０の注出口４１から注ぎ出たビールと、本装置１の外部空間からの空気と、が流れる流路である。内部空間１４ｂは、注入管１４ａの内部の空間である。内部空間１４ｂは、ビール瓶４０の注出口４１が挿入穴１４ｈ１に挿入されたとき、ビール瓶４０の内部空間４０ｃと共用路１１ｃと連通する。
【００４１】
外周リブ１５は、注入管１４ａに連結されたビール瓶４０の注出口４１が、注入管１４ａから容易に外れるのを防ぐ。外周リブ１５は、例えば、ゴムやウレタンなどの弾性を有する。外周リブ１５は、本発明における弾性体の例である。外周リブ１５は、注入管１４ａの外周面に、注入管１４ａの外周面の周方向に沿うように配置される。外周リブ１５の外周面は、注入管１４ａの径方向外側に向けて、注入管１４ａの長手方向３箇所で突出する。
【００４２】
なお、本発明において、外周リブが突出する箇所は、３箇所に限定されない。すなわち、突出する箇所は、１箇所でもよく、また、３箇所以外の複数箇所でもよい。
【００４３】
●第２組立体の構成
次に、第２組立体２０の構成について、説明する。
【００４４】
第２組立体２０は、発光部材や回路などの電子部品を収納する。第２組立体２０は、筐体カバー２１と、筐体２２と、スイッチ２３と、基板２４と、点灯部２５と、超音波発生装置２６と、圧縮コイルバネ２７と、電池ボックス（不図示）と、を備える。
【００４５】
筐体カバー２１は、筐体２２を収納する。筐体カバー２１は、例えば、アルミニウムなどの軽金属製である。筐体カバー２１は、一端が開口した有蓋円筒状である。筐体カバー２１は、液体出口挿入孔２１ｈ１と、点灯部露出孔２１ｈ２と、シール部２１ａと、切欠２１ｂと、を備える。
【００４６】
液体出口挿入孔２１ｈ１は、第１組立体１０の液体出口１３が挿入される孔である。液体出口挿入孔２１ｈ１は、筐体カバー２１の蓋部に配置される。液体出口挿入孔２１ｈ１は、液体出口１３よりも大きい。
【００４７】
点灯部露出孔２１ｈ２は、後述する点灯部２５の発光面を、筐体カバー２１の外部に露出させる孔である。点灯部露出孔２１ｈ２は、筐体カバー２１の蓋部に配置される。
【００４８】
シール部２１ａは、筐体カバー２１の内部へのビールの侵入を防止する。シール部２１ａは、液体出口挿入孔２１ｈ１に取り付けられる。シール部２１ａは、筐体カバー２１の蓋部の外面（蓋部の外側の面）と、液体出口挿入孔２１ｈ１の内周面と、に配置される。
【００４９】
切欠２１ｂは、後述するスイッチ２３の押圧部を筐体カバー２１の外部に露出させる。切欠２１ｂは、筐体カバー２１の開口端から筐体カバー２１の蓋部に向けてＵ字状に切り欠かれた切欠である。
【００５０】
図７は、筐体２２の斜視図である。
図８は、図７の筐体２２から超音波発生装置２６が取り外された状態の斜視図である。
【００５１】
筐体２２は、スイッチ２３と、基板２４（図５参照）と、点灯部２５（図５参照）と、超音波発生装置２６と、圧縮コイルバネ２７（図５参照）と、電池ボックスと、を収納する。筐体２２は、例えば、ポリエチレンなどの合成樹脂製である。筐体２２は、凹部２２ａと、露出孔２２ａｈと、リブ受溝２２ｂと、ガイド穴２２ｈ１と、ガイド穴２２ｈ２と、ガイド穴２２ｈ３と、ガイド穴２２ｈ４と、結合穴２２ｈ５と、結合穴２２ｈ６と、を備える。
【００５２】
凹部２２ａは、筐体２２が筐体カバー２１に収納されたとき、筐体カバー２１と共に第１組立体１０の連絡通路形成体１１が配置される空間を形成する（図６参照）。具体的には、同空間には、連絡通路形成体１１における流路１１ａを構成する部分が配置される。凹部２２ａは、筐体２２の外周面の一部に、筐体２２の長手方向の一端から他端にかけて配置される。
【００５３】
露出孔２２ａｈは、後述する超音波発生装置２６の振動発生面２６ａを筐体２２の外部に露出させる孔である。露出孔２２ａｈは、凹部２２ａに配置される。
【００５４】
リブ受溝２２ｂは、第２組立体２０が第１組立体１０に結合されたとき、リブ１２（図４参照）が配置される溝である。リブ受溝２２ｂは、筐体２２の凹部２２ａに、筐体２２の長手方向の他端（図７の紙面下端）から一端（図７の紙面上端）に向けて、露出孔２２ａｈを跨いで配置される。
【００５５】
なお、リブ受溝は、リブの長さに応じて配置されればよい。また、リブの長さは、後述するように、露出孔から露出する超音波発生装置の振動発生面と当接する長さに設定される。リブは、振動発生面の一部と当接してもよい。この場合、リブ受溝は、露出孔を跨がない。
【００５６】
ガイド穴２２ｈ１−２２ｈ４のそれぞれは、第２組立体２０が第１組立体１０に結合されるとき、第１組立体１０の対応する嵌合ピン１１ｐ１−１１ｐ４を案内する孔である。すなわち、ガイド穴２２ｈ１−２２ｈ４は、嵌合ピン１１ｐ１−１１ｐ４と共に第２組立体２０に対する第１組立体１０の位置決めをする。
【００５７】
結合穴２２ｈ５と結合穴２２ｈ６とは、第２組立体２０が第１組立体１０に結合されるとき、第１組立体１０の結合突起１１ｐ５と結合突起１１ｐ６（図３参照）とに結合される穴である。
【００５８】
図４と図５とに戻る。
スイッチ２３は、本装置１の使用者による押圧操作により、点灯部２５の動作と、超音波発生装置２６の動作と、を制御する。スイッチ２３は、筐体２２に収納される。本装置１は、例えば、本装置１の使用者によりスイッチ２３の押圧操作が行われている間、オン（導通）状態になる。本装置１は、使用者によるスイッチ２３の押圧操作が解除されると、オフ（非導通）状態になる。
【００５９】
基板２４は、点灯部２５や超音波発生装置２６を動作させるための回路（不図示）を実装する。
【００６０】
点灯部２５は、光を用いて本装置１の状態を報知する。点灯部２５は、例えば、ＬＥＤなどの発光部材である。点灯部２５は、本装置１の状態がオン状態のときに発光（点灯、点滅など）し、本装置１の状態がオフ状態のときに発光しない。点灯部２５の発光面は、前述のとおり、筐体カバー２１の点灯部露出孔２１ｈ２から外部に露出する。よって、点灯部２５の発光状態は、本装置１の使用者などに視認可能である。
【００６１】
超音波発生装置２６は、超音波を発生する。超音波発生装置２６は、本発明における振動発生部の例である。超音波発生装置２６が発生する超音波の振動周波数は、例えば、４０ｋＨｚである。超音波発生装置２６は、本装置１の状態がオン状態のときに超音波を発生し、本装置１の状態がオフ状態のときに超音波を発生しない。超音波発生装置２６は、筐体２２に収納される。超音波発生装置２６は、振動発生面２６ａを備える。超音波発生装置２６が発生した超音波は、流路１１ａを流れるビールに伝播される。ここで、超音波は、超音波を伝播する物体が振動することにより、同物体内に伝播される。すなわち、超音波発生装置２６が発生した超音波が連絡通路形成体に伝播されたとき、連絡通路形成体１１の流路１１ａを流れるビールに振動が付与される。つまり、超音波発生装置２６は、流路１１ａを流れるビールに付与される振動を発生する。
【００６２】
振動発生面２６ａは、振動発生面２６ａに当接する部材に超音波発生装置２６が発生した超音波を伝播する。振動発生面２６ａは、略円形の面である。振動発生面２６ａは、筐体２２の露出孔２２ａｈに配置されて、筐体２２の外部に露出する。
【００６３】
圧縮コイルバネ２７は、超音波発生装置２６を、筐体２２の内部から筐体の外部（露出孔２２ａｈの外側）に向けて付勢する。すなわち、圧縮コイルバネ２７は、超音波発生装置２６を、振動発生面２６ａが露出孔２２ａｈから筐体２２の外部に露出させるように付勢する。圧縮コイルバネ２７は、本発明における付勢部材の例である。圧縮コイルバネ２７は、筐体２２に収納される。
【００６４】
電池ボックスは、本装置１を動作させるための電力を供給する電池３０を収納する。電池ボックスは、筐体２２に収納される。
【００６５】
このように構成される第２組立体２０において、筐体２２は、スイッチ２３と筐体カバー２１の切欠２１ｃとの位置を合わせた状態で、筐体カバー２１に収納される。このとき、スイッチ２３の押圧部は、切欠２１ｃ内に配置される。その結果、スイッチ２３の押圧部は、筐体カバー２１の外部に露出する。
【００６６】
●本装置の組立方法●
次に、本装置１の組立方法について、図４−７を参照しながら説明する。
【００６７】
本装置１は、第２組立体２０が第１組立体１０に結合されて、組み立てられる。
【００６８】
先ず、連絡通路形成体１１が、筐体２２の凹部２２ａ（筐体カバー２１と凹部２２ａとにより形成される空間）内に挿入される。連絡通路形成体１１は、凹部２２ａ内を、ビールが流路１１ａを流れる方向にスライドされる。凹部２２ａは、連絡通路形成体１１の外周面と対向する。すなわち、凹部２２ａは、連絡通路形成体１１の外周面との対向面を構成する。つまり、露出孔２２ａｈから筐体２１の外部に露出する振動発生面２６ａは、筐体２２の連絡通路形成体１１との対向面に配置される。その結果、振動発生面２６ａは、連絡通路形成体１１の外周面に対向する。
【００６９】
次いで、連絡通路形成体１１が凹部２２ａ内に挿入される過程において、リブ１２が、リブ受溝２２ｂに挿入される。リブ受溝２２ｂに挿入されたリブ１２の先端は、露出孔２２ａｈから露出している超音波発生装置２６の側面や振動発生面２６ａに当接する。前述のとおり、リブ１２の先端の形状は、テーパ状である。そのため、リブ１２の先端のテーパ部分は、超音波発生装置２６の振動発生面２６ａを、筐体２２の内部に押し込みながら振動発生面２６ａに沿って移動する。
【００７０】
リブ受溝２２ｂに挿入される過程において、リブ１２は、超音波発生装置２６を、圧縮コイルバネ２７の付勢力に抗して筐体２２の内部に押し込む。圧縮コイルバネ２７は、筐体２２の内部に押し込まれる超音波発生装置２６を、連絡通路形成体１１のリブ１２が配置された外周面側に付勢する。その結果、リブ１２は、振動発生面２６ａに確実に当接する。すなわち、振動発生面２６ａは、連絡通路形成体１１の外周面に確実に当接する。
【００７１】
次いで、液体出口１３が、液体出口挿入孔２１ｈ１に挿入される。このとき、シール部２１ａは、液体出口挿入孔２１ｈ１の内周面、すなわち、液体出口１３と液体出口挿入孔２１ｈ１との間に隙間なく配置される。その結果、筐体カバー２１の外部から筐体カバー２１の内部へのビールの侵入は、防がれる。
【００７２】
次いで、嵌合ピン１１ｐ１−１１ｐ４のそれぞれは、対応するガイド穴２２ｈ１−２２ｈ４に挿入されて、対応するガイド穴２２ｈ１−２２ｈ４に嵌合する。このとき、嵌合ピン１１ｐ１は、ガイド穴２２ｈ１に案内される。嵌合ピン１１ｐ２は、ガイド穴２２ｈ２に案内される。嵌合ピン１１ｐ３は、ガイド穴２２ｈ３に案内される。嵌合ピン１１ｐ４は、ガイド穴２２ｈ４に案内される。嵌合ピン１１ｐ１−１１ｐ４がガイド穴２２ｈ１−２２ｈ４に案内されると同時に、結合穴２２ｈ５に対する結合突起１１ｐ５の位置と、結合穴２２ｈ６に対する結合突起１１ｐ６の位置と、が決まる。
【００７３】
結合突起１１ｐ５は、結合穴２２ｐ５に挿入されて、結合穴２２ｐ５に結合される。結合突起１１ｐ６は、結合穴２２ｐ６に挿入されて、結合穴２２ｐ６に結合される。その結果、第２組立体２０は、第１組立体１０に結合されて、第１組立体１０に固定される。
【００７４】
このように組み立てられた本装置１の筐体カバー２１内において、連絡通路形成体１１の流路１１ａを構成する部分と、筐体２２と、は、図５や図６に示されるように、筐体カバー２１の径方向の両側に配置される。すなわち、筐体２２内に収納される基板２４と超音波発生装置２６と電池ボックス（電池３０）とは、筐体カバー２１内において流路１１ａの一方側にのみ配置される。つまり、本装置１の大きさは、超音波発生装置が流路を挟んで基板や電池と分かれて配置される従来の装置の大きさと比べて、小さくなる。
【００７５】
また、本装置１の構成は、振動発生面２６ａが、リブ１２を介して、連絡通路形成体１１の外周面に当接する構成である。すなわち、筐体２２や連絡通路形成体１１の製造上の誤差が生じたとしても、超音波発生装置２６の振動発生面２６ａは、圧縮コイルバネ２７に付勢されてリブ１２に確実に当接する。その結果、超音波発生装置２６が発生した超音波は、振動発生面２６ａに当接するリブ１２を介して、連絡通路形成体１１の外周面に確実に伝播される。つまり、本装置１は、流路１１ａを流れるビールに超音波を確実に伝播する。
【００７６】
さらにまた、本装置１は、連絡通路形成体１１の外周面に配置されるリブ１２は、ビールが流路１１ａを流れる方向に延びて配置される。すなわち、リブ１２は、連絡通路形成体１１の外周面において、ビールが流路１１ａを流れる方向の流路１１ａの上流側から下流側にかけて連続した範囲に配置される。その結果、超音波発生装置２６が発生した超音波は、ビールが流路１１ａを流れる方向の連続した範囲において、流路１１ａを流れるビールに伝播される。
【００７７】
●本装置の使用方法●
次に、本装置１の使用方法について説明する。前述のとおり、本装置１は、ビール瓶４０の注出口４１に取り付けられて使用される。
【００７８】
図９は、本装置１がビール瓶４０に取り付けられた状態の断面図である。
図１０は、本装置１内の空気の流れとビールの流れとを示す模式図である。
図１０において破線で示される「Ｘ」は、ビールの流れを示す。図１０において一点鎖線で示される「Ｙ」は、空気の流れを示す。
【００７９】
先ず、本装置１は、本装置１の使用者により、ビール瓶４０に取り付けられる。このとき、ビール瓶４０の注出口４１が、第１組立体１０の連結部１４の挿入穴１４ｈ１に挿入されると共に、注入管１４ａと外周リブ１５とが注出口４１に挿入される。その結果、注出口４１は、挿入穴１４ｈ１の内部に配置された注入管１４ａに連結される。具体的には、注出口４１は、注入管１４ａの外周面の周方向に配置された外周リブ１５を、注出口４１（ビール瓶４０）が挿入される方向（図９の紙面上方）に押しやりながら、挿入穴１４ｈ１に挿入される。注出口４１が注入管１４ａに連結されたとき、外周リブ１５は、注出口４１に押しやられて弾性変形した状態で注出口４１の内周面４１ａに当接する。その結果、本装置１は、外周リブ１５と注出口４１との間に作用する摩擦力により、注出口４１から容易に外れない。
【００８０】
次いで、本装置１の使用者により、ビール瓶４０が傾けられて、ビール瓶４０内のビールが注出口４１から本装置１に注ぎ出る。注出口４１から本装置１に注ぎ出たビールは、注入管１４ａの内部空間１４ｂと、共用路１１ｃと、流路１１ａと、を通過して、液体出口１３からジョッキ（不図示）に注がれる。
【００８１】
次いで、本装置１の使用者によりスイッチ２３の押圧操作がされたとき、超音波発生装置２６は、超音波を発生する。超音波発生装置２６が発生した超音波は、リブ１２を介して連絡通路形成体１１に伝播される。連絡通路形成体１１に伝播された超音波は、流路１１ａを流れるビールに伝播される。
【００８２】
本装置１の使用時において、図６に示されるように、超音波発生装置２６は、流路１１ａの上方（図６の紙面上側）に配置される。ここで、図６において示される「Ｓ」は、超音波発生装置２６が発生した超音波が、流路１１ａを流れるビールに伝播されている様子を模式的に示すものである。リブ１２を介して連絡通路形成体１１に伝播される超音波の伝播量は、リブ１２から離れる（図６の流路１１ａの下方側）にしたがって、減少する。そのため、超音波は、リブ１２から離れるにしたがって、流路１１ａの断面の幅方向（図６の流路１１ａの左右方向）へ伝播されにくくなる。しかしながら、本装置１では、ビールが流路１１ａを流れる方向に直交する方向における流路１１ａの断面の幅方向の長さは、ビールが流路１１ａを流れる時において、流路１１ａの上方側から流路１１ａの下方側に向けて漸次短くなる。そのため、リブ１２を介して伝播された超音波は、リブ１２から離れた流路１１ａの下方側（流路１１ａの底面側）を流れるビールを含めて、流路１１ａを流れるビール全体に満遍なく伝播される。
【００８３】
超音波がビールに伝播されると、ビールに溶解している炭酸ガスの気化が促進される。気化された炭酸ガスは、ビールに包まれて泡になる。換言すれば、超音波発生装置２６から発生された超音波は、流路１１ａを流れるビールに振動を付与して、流路１１ａを流れるビールからきめ細やかな泡を形成する。形成されたきめ細やかな泡は、液体出口１３から注ぎ出されて、ジョッキ内のビールの上部に載せられる。本装置１の使用者によりスイッチ２３の押圧操作が解除されたとき、超音波発生装置２６は、超音波の発生を停止する。
【００８４】
前述のとおり、本装置１が取り付けられたビール瓶４０に収容されたビールは、本装置１の使用者によりビール瓶４０が傾けられると、ビール瓶４０の注出口４１から本装置１に注ぎ出る。ビール瓶４０の注出口４１から本装置１に注ぎ出たビールは、本装置１の注入管１４ａの内部空間１４ｂと、共用路１１ｃと、流路１１ａと、を通過して、液体出口１３から注ぎ出る。
【００８５】
一方、本装置１の外部空間の空気は、本装置１の使用者によりビール瓶４０が傾けられると、空気路１１ｂと、共用路１１ｃと、注入管１４ａの内部空間１４ｂと、を通過して、ビール瓶４０の内部空間４０ｃに進入する。すなわち、空気路１１ｂは、本装置１の外部空間と、ビール瓶４０の内部空間４０ｃと、に連通する。
【００８６】
このように、ビール瓶４０の内部空間４０ｃは、注入管１４ａの内部空間１４ｂを介して、流路１１ａと空気路１１ｂとに連通する。その結果、本装置１が取り付けられたビール瓶４０からジョッキにビールが注ぎ出るとき、本装置１の外部空間はビール瓶４０の内部空間４０ｃと連通するため、装置１の外部空間とビール瓶４０の内部空間４０ｃとの気圧差がなくなる。その結果、本装置１の使用者によりビール瓶４０が傾けられたとき、ビール瓶４０に収容されたビールは、本装置１から滑らかに注ぎ出る。
【００８７】
本装置１は、使用後、使用者によりビール瓶４０から取り外され、第１組立体１０と第２組立体２０とが分離される。そのため、本装置１の使用者は、基板２４や超音波発生配２６などの２６などの電子部品を収納する第２組立体２０を濡らすことなく、本装置１の使用時にビールと接触した第１組立体１０のみを水洗いすることができる。すなわち、本装置１は、電子部品に影響を与えることなく水洗いをすることができる。
【００８８】
●まとめ●
以上説明した実施の形態によれば、本装置１は、使用時において、連絡通路形成体１１の上方に筐体２２が配置される。すなわち、ビールが流路１１ａを流れる時、筐体２２に収納される基板２４と超音波発生装置２６と電池ボックス（電池３０）とは、筐体カバー２１内において連絡通路形成体１１が備える流路１１ａに対して、全て同じ側に配置される。そのため、本装置１の大きさは、超音波発生装置が流路を挟んで基板と電池と分かれて配置される従来の装置の大きさと比べて、小さくなる。
【００８９】
また、ビールが流路１１ａを流れる方向に直交する方向における流路１１ａの断面の幅方向の長さは、ビールが流路１１ａを流れる時において、流路１１ａの下方側の長さが流路１１ａの上方側の長さよりも短い。具体的には、ビールが流路１１ａを流れる方向に直交する方向における流路１１ａの断面の幅方向の長さは、ビールが流路１１ａを流れる時において、流路１１ａの上方側から流路１１ａの下方側に向けて漸次短くなる。そのため、本装置１は、リブ１２から離れた流路１１ａの底面側を流れるビールに対しても、超音波発生装置２６が発生した超音波を伝播させて振動を付与することができる。その結果、本装置１は、流路１１ａを流れるビール全体に超音波を伝播させて、振動の付与効果を高めることができる。
【００９０】
さらに、リブ１２は、超音波発生装置２６の振動発生面２６ａの一部に当接する。そのため、筐体２２や連絡通路形成体１１に製造上の誤差が生じたとしても、リブ１２が振動発生面２６ａに当接する部分の面積の変動は、リブが振動発生面の全部に当接する構成に比べて、少ない。すなわち、本装置１は、筐体２２や連絡通路形成体１１に製造上の誤差が生じたとしても、所望の強さの超音波を、リブ１２を介して流路１１ａを流れるビールに伝播させることができる。つまり、本装置１により形成される泡のきめ細かさは、筐体２２や連絡通路形成体１１に製造上の誤差が生じたとしても、影響を受けにくい。
【００９１】
さらにまた、本装置１は、第１組立体１０と第２組立体２０とが分離可能な構成である。そのため、本装置１は、水洗いすることができない電子部品を収納する第２組立体２０から第１組立体１０を分離させて、本装置１の使用時にビールと接触した第１組立体１０のみを水洗いすることができる。
【００９２】
なお、以上説明した実施の形態は、ビールを本発明における容器に収容された液体の例とするものであったが、本発明における液体は、発泡性を有する液体であればよく、ビール以外の発泡性飲料でもよい。
【符号の説明】
【００９３】
１        振動付与装置
１０      第１組立体
１１      連絡通路形成体
１１ａ    流路
１１ｂ    空気路
１１ｃ    共用路
１１ｈ    空気孔
１１ｐ１  嵌合ピン
１１ｐ２  嵌合ピン
１１ｐ３  嵌合ピン
１１ｐ４  嵌合ピン
１１ｐ５  結合突起
１１ｐ６  結合突起
１２      リブ
１３      液体出口
１３ａ    ガイド部
１４      連結部
１４ｈ１  挿入穴
１４ｈ２  注出孔
１４ｈ３  注入孔
１４ａ    注入管
１４ｂ    内部空間
１５      外周リブ（弾性体）
２０      第２組立体
２１      筐体カバー
２１ｈ１  液体出口挿入孔
２１ｈ２  点灯部露出孔
２１ａ    シール部
２１ｂ    切欠
２２      筐体
２２ａ    凹部
２２ａｈ  露出孔
２２ｂ    リブ受溝
２２ｈ１  ガイド穴
２２ｈ２  ガイド穴
２２ｈ３  ガイド穴
２２ｈ４  ガイド穴
２２ｈ５  結合穴
２２ｈ６  結合穴
２３      スイッチ
２４      基板
２５      点灯部
２６      超音波発生装置
２６ａ    振動発生面
２７      圧縮コイルバネ
３０      電池
４０      ビール瓶（容器）
４０ｃ    内部空間
４１      注出口
４１ａ    注出口の内周面
【図１】
2018122892.tif 000003
【図２】
2018122892.tif 000004
【図３】
2018122892.tif 000005
【図４】
2018122892.tif 000006
【図５】
2018122892.tif 000007
【図６】
2018122892.tif 000008
【図７】
2018122892.tif 000009
【図８】
2018122892.tif 000010
【図９】
2018122892.tif 000011
【図１０】
2018122892.tif 000012